(57)【要約】【課題】嵌合の解除をより確実に行うことができるコネクタ構造の提供。【解決手段】コネクタ構造３は、第１コネクタ１及び第２コネクタ２を備える。第１コネクタ１は、アウタハウジング１０と、嵌合方向において変位可能な状態でアウタハウジングに支持されるインナハウジング２０と、インナハウジングを嵌合方向前方に付勢可能な弾性部材３０と、を有する。第２コネクタ２は、嵌合時に弾性部材による付勢力を生じさせた状態でアウタハウジングに組み付けられる相手側ハウジング６０を有する。アウタハウジングは、嵌合時に相手側ハウジングの嵌合方向後方への移動を規制するように相手側ハウジングに係合するロック機構１２と、ロック機構による係合を解除可能な第１ロック解除機構１４と、第１ロック解除機構とは異なる位置に設けられ且つ第１ロック解除機構から独立してロック機構による係合を解除可能な第２ロック解除機構１８と、を有する。【選択図】図８
2020035550.tif 000002
【特許請求の範囲】
【請求項１】
互いに嵌合可能な第１コネクタ及び第２コネクタを備えたコネクタ構造であって、
前記第１コネクタは、
アウタハウジングと、嵌合方向において変位可能な状態にて前記アウタハウジングに支持されるインナハウジングと、前記インナハウジングを嵌合方向前方に付勢可能な弾性部材と、を有し、
前記第２コネクタは、
嵌合時に、前記インナハウジングを嵌合方向後方に変位させて前記弾性部材による嵌合方向前方への付勢力を生じさせた状態にて前記アウタハウジングに組み付けられる、相手側ハウジングを有し、
前記アウタハウジングは、
嵌合時に前記相手側ハウジングの嵌合方向後方への移動を規制するように前記相手側ハウジングに係合するロック機構と、前記ロック機構による係合を解除可能な第１ロック解除機構と、前記第１ロック解除機構とは異なる位置に設けられ且つ前記第１ロック解除機構から独立して前記ロック機構による係合を解除可能な第２ロック解除機構と、を有する、
コネクタ構造。
【請求項２】
請求項１に記載のコネクタ構造において、
前記ロック機構は、
前記相手側ハウジングに設けられた突起部に係合する係合部を有する片持ち梁状のロックアームであり、
前記第１ロック解除機構は、
前記アウタハウジングの一部として前記アウタハウジングの外面に露出するように設けられ、前記突起部と前記係合部との係合を解除する向きに前記ロックアームを撓ませることが可能な、解除操作部を含み、
前記第２ロック解除機構は、
前記アウタハウジングの外部から前記突起部と前記係合部との係合位置に向けて連通するように設けられた貫通部であって、前記アウタハウジングとは別体の解除具を当該貫通部に挿入することにより、前記突起部と前記係合部との係合を解除する向きに前記係合部を移動させることが可能な、貫通部を含む、
コネクタ構造。
【発明の詳細な説明】
【技術分野】
【０００１】
本発明は、互いに嵌合可能な２つのコネクタを備えたコネクタ構造に関する。
【背景技術】
【０００２】
従来から、端子が設けられたハウジング同士を嵌合させるコネクタ構造として、嵌合状態を維持するようにハウジング同士を係合するロック機構と、ロック機構による係合を解除可能なロック解除機構と、を有するものが知られている（例えば、特許文献１を参照）。
【０００３】
上述した従来のコネクタ構造では、嵌合時にハウジング同士の嵌合を解除する向き（即ち、ハウジング同士を互いに遠ざける向き）に付勢するバネが、それらハウジングの間に設けられている。これにより、ロック機構による係合を解除したとき、バネの付勢力により、ハウジング同士が嵌合を解除する向きに自動的に相対移動することになる。この結果、コネクタ構造による嵌合を解除する際、ハウジング同士を容易に分離できる。
【先行技術文献】
【特許文献】
【０００４】
【特許文献１】特開２００９−２３０８９８号公報
【発明の概要】
【発明が解決しようとする課題】
【０００５】
上述した従来のコネクタ構造では、ロック解除機構を操作するための解除操作部は、ハウジングの外側面に設けられている。ところが、例えば、種々の部材が密集して配置される場所にこのコネクタ構造が適用される際、解除操作部が他の部材（例えば、ワイヤハーネス等）に覆われる場合があり得る。このような場合であっても、解除操作部の操作自体は可能であるものの、他の部材を避けながら解除操作部を操作することとなり、嵌合を解除する作業の作業性を向上させ難い。
【０００６】
本発明は、上述した事情に鑑みてなされたものであり、その目的は、コネクタ構造の周辺に他の部材が存在する場合であっても嵌合の解除をより確実に行うことができるコネクタ構造、を提供することにある。
【課題を解決するための手段】
【０００７】
前述した目的を達成するために、本発明に係るコネクタ構造は、下記（１）及び（２）を特徴としている。
（１）
互いに嵌合可能な第１コネクタ及び第２コネクタを備えたコネクタ構造であって、
前記第１コネクタは、
アウタハウジングと、嵌合方向において変位可能な状態にて前記アウタハウジングに支持されるインナハウジングと、前記インナハウジングを嵌合方向前方に付勢可能な弾性部材と、を有し、
前記第２コネクタは、
嵌合時に、前記インナハウジングを嵌合方向後方に変位させて前記弾性部材による嵌合方向前方への付勢力を生じさせた状態にて前記アウタハウジングに組み付けられる、相手側ハウジングを有し、
前記アウタハウジングは、
嵌合時に前記相手側ハウジングの嵌合方向後方への移動を規制するように前記相手側ハウジングに係合するロック機構と、前記ロック機構による係合を解除可能な第１ロック解除機構と、前記第１ロック解除機構とは異なる位置に設けられ且つ前記第１ロック解除機構から独立して前記ロック機構による係合を解除可能な第２ロック解除機構と、を有する、
コネクタ構造であること。
（２）
上記（１）に記載のコネクタ構造において、
前記ロック機構は、
前記相手側ハウジングに設けられた突起部に係合する係合部を有する片持ち梁状のロックアームであり、
前記第１ロック解除機構は、
前記アウタハウジングの一部として前記アウタハウジングの外面に露出するように設けられ、前記突起部と前記係合部との係合を解除する向きに前記ロックアームを撓ませることが可能な、解除操作部を含み、
前記第２ロック解除機構は、
前記アウタハウジングの外部から前記突起部と前記係合部との係合位置に向けて連通するように設けられた貫通部であって、前記アウタハウジングとは別体の解除具を当該貫通部に挿入することにより、前記突起部と前記係合部との係合を解除する向きに前記係合部を移動させることが可能な、貫通部を含む、
コネクタ構造であること。
【０００８】
上記（１）の構成のコネクタ構造によれば、例えば、種々の部材が密集して配置される場所にコネクタ構造が適用された際、仮に第１ロック解除機構を容易には操作し難い場合であっても、第１ロック解除機構と異なる位置に設けられた第２ロック解除機構を操作することで、ロック機構による係合を解除できる。更に、ロック機構による係合が解除されれば、弾性部材の付勢力によってインナハウジングと相手側ハウジングとを容易に分離できる。したがって、本構成のコネクタ構造は、従来のコネクタ構造に比べ、コネクタ構造の周辺に他の部材が存在する場合であっても嵌合の解除をより確実に行うことができる。
【０００９】
上記（２）の構成のコネクタ構造によれば、第２ロック解除機構として第１コネクタのアウタハウジングに貫通部を設け、この貫通部を通じて解除具を挿入することにより、相手側ハウジングの突起部とロックアームの係合部との係合を解除できる。よって、アウタハウジングに複雑な構造の第２ロック解除機構を設ける場合に比べ、比較的単純な構造で第２ロック解除機構を実現でき、コネクタ構造の小型化を図り得る。
【発明の効果】
【００１０】
本発明によれば、コネクタ構造の周辺に他の部材が存在する場合であっても嵌合の解除をより確実に行うことができるコネクタ構造を提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本実施形態に係るコネクタ構造におけるメスコネクタの分解斜視図である。
【図２】図２は、組立後のメスコネクタの斜視図である。
【図３】図３（ａ）は、図２のＡ−Ａ線断面図であり、図３（ｂ）は、図２のＢ−Ｂ線断面図である。
【図４】図４は、メスコネクタとオスコネクタとが嵌合したコネクタ構造の斜視図である。
【図５】図５（ａ）は、図４のＣ−Ｃ線断面図であり、図５（ｂ）は、図４のＤ−Ｄ線断面図であり、図５（ｃ）は、図５（ｂ）におけるロックアームの周辺の拡大図である。
【図６】図６（ａ）は、ロック解除アームの解除操作部を操作する様子を示したコネクタ構造の斜視図であり、図６（ｂ）は、ロック解除アームの解除操作部を操作した状態における図５（ｂ）に対応する図であり、図６（ｃ）は、図６（ｂ）におけるロックアームの周辺の拡大図である。
【図７】図７（ａ）は、ロック解除時、弾性部材の付勢力によりハウジング同士が嵌合を解除する向きに相対移動する様子を示したコネクタ構造の平面図であり、図７（ｂ）は、弾性部材の付勢力によりハウジング同士が嵌合を解除する向きに相対移動した状態における図５（ｂ）に対応する図である。
【図８】図８は、貫通孔に解除具を挿入してロック解除を行う様子を示したコネクタ構造の斜視図である。
【図９】図９は、貫通孔に挿入された解除具の押圧によって、ロックアームが係合解除方向（幅方向外側）に弾性変形する様子を示す断面図である。
【発明を実施するための形態】
【００１３】
＜実施形態＞
以下、図面を参照しながら、本発明の実施形態に係る、互いに嵌合するメスコネクタ１及びオスコネクタ２を備えたコネクタ構造３について説明する。以下、説明の便宜上、メスコネクタ１及びオスコネクタ２の各々に関し、嵌合方向正面側（相手側コネクタに近づく側）を「前側」と呼び、嵌合方向解除側（相手側コネクタから遠ざかる側）を「後側」と呼ぶこともある。例えば、メスコネクタ１とオスコネクタ２とが嵌合したコネクタ構造３を示す図４において、メスコネクタ１に関して、左方向及び右方向がそれぞれ前側及び後側であり、オスコネクタ２に関しては、右方向及び左方向がそれぞれ前側及び後側である。また、メスコネクタ１及びオスコネクタ２の各々に関し、図４において上側及び下側をそれぞれ、上側及び下側と呼ぶ。
【００１４】
先ず、図１〜図３を参照しながら、メスコネクタ１を構成する各部品について説明する。図１に示すように、メスコネクタ１は、アウタハウジング１０と、アウタハウジング１０内にて前後方向に相対移動可能に収容されるインナハウジング２０と、アウタハウジング１０内に設けられてインナハウジング２０を前側へ付勢する弾性部材３０と、インナハウジング２０の外周を水密的にシールするパッキン４０と、パッキン４０をインナハウジング２０に保持するパッキンホルダ５０と、を備える。
【００１５】
先ず、アウタハウジング１０について説明する。樹脂製のアウタハウジング１０は、大略的には前後方向に貫通する角筒状の形状を有する。図２のＡ−Ａ線断面図を表す図３（ａ）に示すように、アウタハウジング１０の上壁及び下壁の後端部の幅方向中央部には、それぞれ、弾性部材３０の後端部を支持するための後側支持部１１が、アウタハウジング１０の内部空間に臨むように一体で設けられている。
【００１６】
図２、及び、図２のＢ−Ｂ線断面図を表す図３（ｂ）に示すように、アウタハウジング１０の両側面には、それぞれ、アウタハウジング１０の側壁の一部を構成するように、ロックアーム１２及びロック解除アーム１４が一体で設けられている。
【００１７】
各ロックアーム１２は、アウタハウジング１０の側面の後端部付近から片持ち梁状に前側に延びる板状体であり、幅方向に弾性変形可能となっている。各ロックアーム１２の前側端部（即ち、自由端部）には、幅方向に貫通する係止孔１３が設けられている。係止孔１３は、後述するように、オスコネクタ２のハウジング６０側のロックビーク６２と係合して、インナハウジング２０及びハウジング６０（換言すると、メスコネクタ１及びオスコネクタ２）の嵌合状態を維持する機能を果たす（図５（ｂ）及び図５（ｃ）参照）。
【００１８】
各ロックアーム１２には、ロック解除アーム１４が一体で設けられている。ロック解除アーム１４は、ロックアーム１２の前側端部の上下方向端部から片持ち梁状に後側に延びる一対のレバー部１５と、一対のレバー部１５の後側端部（即ち、自由端部）同士を連結し且つ上下方向に延びる連結部１６（即ち、解除操作部）と、で構成される。連結部１６を幅方向内側に押し込むことで、ロックアーム１２が幅方向外側に弾性変形する。この結果、ロックアーム１２の前側端部の係止孔１３が設けられている部分が幅方向外側（即ち、係合解除方向）に移動して、係止孔１３とロックビーク６２との係合が解除されるようになっている（図６参照）。
【００１９】
図３（ｂ）に示すように、アウタハウジング１０の両側壁の後側部分（より具体的には、ロックアーム１２の後側端部に相当する部分）の幅方向内側面には、幅方向内側に突出する一対の係止片１７が一体で設けられている。後述するように、一対の係止片１７は、インナハウジング２０側の一対の係止突起２５（図１及び図３（ｂ）参照）と係合して、アウタハウジング１０に対するインナハウジング２０の前側への移動範囲を規制する機能を果たす（図３（ｂ）参照）。以下、図３（ｂ）に示すインナハウジング２０の位置を「初期位置」と呼ぶ。
【００２０】
図１及び図２に示すように、アウタハウジング１０の上壁の前側部分の幅方向両端部付近には、上下方向に貫通する一対の貫通孔１８が設けられている（図８及び図９も参照）。後述するように、貫通孔１８は、ロック解除アーム１４の連結部１６の操作が困難な場合において、ロック解除を行うべく解除具７０を挿入するために使用される。以上、アウタハウジング１０について説明した。
【００２１】
次いで、インナハウジング２０について説明する。樹脂製のインナハウジング２０は、大略的には、前後方向に延びる直方体状の形状を有する。図１及び図３に示すように、インナハウジング２０には、前後方向に貫通する複数（本例では、３つ）の端子収容孔２１が、幅方向に並んで設けられている。
【００２２】
端子収容孔２１には、メス端子Ｔ１が収容されている。端子収容孔２１の前端開口は、オスコネクタ２のハウジング６０側に設けられたオス端子Ｔ２（例えば、図５（ａ）及び図５（ｂ）参照）を挿入するための挿入孔２２として機能する。メス端子Ｔ１が端子収容孔２１に収容された状態では、端子収容孔２１に設けられたランス２３がメス端子Ｔ１の段部と係合することで、メス端子Ｔ１の抜けが防止される。メス端子Ｔ１の芯線加締片Ｔ１ａは、電線Ｗの端末から露出した導体芯線Ｅに加締められており、メス端子Ｔ１のゴム栓加締片Ｔ１ｂは、電線Ｗの端末近傍に配置された止水用のゴム栓８０に加締められている。ゴム栓８０は、端子収容孔２１の後端開口に圧入されることにより、この後端開口を水密的にシールする機能を果たす。
【００２３】
図１及び図３（ａ）に示すように、インナハウジング２０の上壁及び下壁の前後方向中央部の幅方向中央部には、それぞれ、弾性部材３０の前端部を支持するための前側支持部２４が一体で設けられている。インナハウジング２０がアウタハウジング１０に収容された状態において、一対の前側支持部２４は、アウタハウジング１０側の一対の後側支持部１１と前後方向に対向配置されるようになっている（図３（ａ）参照）。
【００２４】
図１及び図３（ｂ）に示すように、インナハウジング２０の両側壁の後側部分の外表面には、幅方向外側に突出する一対の係止突起２５が一体で設けられている。一対の係止突起２５は、アウタハウジング１０側の一対の係止片１７と係合するようになっている（図３（ｂ）参照）。
【００２５】
図１及び図３（ｂ）に示すように、インナハウジング２０の一対の前側支持部２４の前側近傍には、外周の全周に亘って外側に突出するフランジ部２６が一体で設けられている。フランジ部２６は、パッキン４０を係止する機能を果たす（図３（ｂ）参照）。
【００２６】
図１に示すように、インナハウジング２０の前端部（端子収容孔２１の前端部）には、上下方向に延びると共に後側に窪んだ一対のスリット２７が設けられており、各スリット２７の奥には、段部２８が設けられている（図３（ｂ）参照）。一対のスリット２７は、パッキンホルダ５０の一対のスリット収容部５２（図１参照）を収容し、一対の段部２８は、パッキンホルダ５０の一対の係止突起５３（図１参照）と係合する機能を果たす。以上、インナハウジング２０について説明した。
【００２７】
次いで、弾性部材３０について説明する。弾性部材３０は、上述したように、アウタハウジング１０内に設けられてインナハウジング２０を前側へ付勢する機能を果たす。本例では、弾性部材３０は、直線状に延びる金属製のコイルスプリングで構成されており、１つのメスコネクタ１に対して２本の弾性部材３０が使用される。以上、弾性部材３０について説明した。
【００２８】
次いで、パッキン４０について説明する。ゴム製のパッキンは、上述したように、インナハウジング２０の外周を水密的にシールする機能を果たす。パッキン４０は、インナハウジング２０の外周形状に対応する略矩形環状の形状を有する。パッキン４０は、インナハウジング２０の前側からインナハウジング２０の外周に挿入され、図３に示すように、フランジ部２６の前側端面に係止される。以上、パッキン４０について説明した。
【００２９】
次いで、パッキンホルダ５０について説明する。樹脂製のパッキンホルダ５０は、上述したように、パッキン４０をインナハウジング２０に保持する機能を果たす。パッキンホルダ５０は、パッキン４０の外周形状に対応する略矩形環状の枠部５１と、枠部５１の所定位置から前側に一体で張り出して上下に横断する一対のスリット収容部５２と、からなる。各スリット収容部５２には、幅方向内側に突出する係止突起５３（図１参照）が設けられている。
【００３０】
パッキンホルダ５０は、インナハウジング２０の前側からインナハウジング２０の外周に挿入され、図３に示すように、一対のスリット収容部５２が一対のスリット２７に挿入されて収容され、且つ、枠部５１がパッキン４０の前側近傍に位置するように、インナハウジング２０に装着される。このパッキンホルダ５０の装着状態では、一対の係止突起５３が一対の段部２８と係合している。これにより、パッキンホルダ５０のインナハウジング２０からの脱落が防止され、この結果、パッキン４０のインナハウジング２０からの脱落も防止される。以上、パッキンホルダ５０について説明した。
【００３１】
このようにパッキン４０及びパッキンホルダ５０が装着されたインナハウジング２０を、アウタハウジング１０に収容する際には、先ず、２本の弾性部材３０の前端部をインナハウジング２０の一対の前側支持部２４に取り付ける。次いで、インナハウジング２０を、アウタハウジング１０の前側開口からアウタハウジング１０内に挿入する。この挿入の過程において、一対の係止突起２５が一対の係止片１７に接触した段階以降、一対の係止片１７が一対の係止突起２５の押圧によって幅方向外側に弾性変形し、その後、一対の係止突起２５が一対の係止片１７を通過したとき、一対の係止片１７が弾性復帰する。この結果、一対の係止突起２５が一対の係止片１７と係合し（図３（ｂ）参照）、インナハウジング２０の抜けが防止される。
【００３２】
一対の係止突起２５が一対の係止片１７と係合した状態（図３（ｂ）参照）では、図３（ａ）に示すように、２本の弾性部材３０それぞれが、対応する前側支持部２４と後側支持部１１とで前後方向に挟持されている。この状態において、弾性部材３０は、圧縮方向に撓んでいても（付勢力を発生していても）、撓んでいなくても（付勢力を発生していなくても）よい。
【００３３】
即ち、この状態にて、インナハウジング２０をアウタハウジング１０に対して後側に押圧すると、インナハウジング２０は、弾性部材３０の付勢力に対抗しながらアウタハウジング１０に対して後側へ相対移動する。その押圧を解除すると、弾性部材３０の付勢力により、インナハウジング２０が、アウタハウジング１０に対して前側へ相対移動し、一対の係止突起２５が一対の係止片１７と係合する位置（即ち、図３（ｂ）に示す初期位置）まで戻る。以上により、図２に示す組立後のメスコネクタ１が得られる。
【００３４】
次いで、図４及び図５を参照しながら、オスコネクタ２について簡単に説明する。オスコネクタ２は、樹脂製のハウジング６０を備える。ハウジング６０の前側部分は、矩形筒状のホロー部６１となっている。ホロー部６１の内部空間には、ハウジング６０の後側部分に設けられた端子収容孔（図示省略）に保持されているオス端子Ｔ２（図５（ａ）及び図５（ｂ）参照）の先端部（即ち、タブ部）が露出している。ホロー部６１は、オス端子Ｔ２の先端部を保護する機能を果たしている。ホロー部６１の両側壁の外側面には、幅方向外側に突出する一対のロックビーク６２（図５参照）が一体で設けられている。
【００３５】
オスコネクタ２のハウジング６０は、メスコネクタ１のインナハウジング２０と嵌合するようになっている。ハウジング６０とインナハウジング２０とを嵌合する際には、ハウジング６０とアウタハウジング１０との前面同士を対向させた状態で、ハウジング６０のホロー部６１が、アウタハウジング１０に対して内挿され且つインナハウジング２０に対して外挿されるように、ハウジング６０とアウタハウジング１０とを嵌合方向に沿って近づけていく。
【００３６】
これにより、インナハウジング２０とハウジング６０とが相対的に近づいていく。そして、インナハウジング２０とハウジング６０とが嵌合状態になると（即ち、両者の相対移動が終了して両者が一体に移動する状態になると）、以降、インナハウジング２０が、弾性部材３０の付勢力に対抗しながら、初期位置からアウタハウジング１０に対して後側に相対移動していく。
【００３７】
そして、ホロー部６１の一対のロックビーク６２がアウタハウジング１０の一対のロックアーム１２の前端部に接触した段階以降、一対のロックアーム１２が一対のロックビーク６２の押圧によって幅方向外側に弾性変形する。その後、一対のロックビーク６２が一対のロックアーム１２に設けられた一対の係止孔１３に到達したとき、一対のロックビーク６２が一対の係止孔１３に進入しながら一対のロックアーム１２が弾性復帰する。この結果、一対のロックビーク６２が一対の係止孔１３と係合する（図５参照）。これにより、ハウジング６０とアウタハウジング１０との分離が防止され、且つ、ハウジング６０とインナハウジング２０との嵌合状態が維持される。以上により、図４に示すメスコネクタ１とオスコネクタ２とが嵌合したコネクタ構造３が得られる。
【００３８】
ハウジング６０とインナハウジング２０との嵌合状態では、インナハウジング２０に収容されたメス端子Ｔ１とハウジング６０に収容されたオス端子Ｔ２とが嵌合して電気的に接続される。更に、図５に示すように、パッキン４０が、径方向においてインナハウジング２０とハウジング６０のホロー部６１との間に挟持される。この結果、インナハウジング２０とハウジング６０との嵌合部分を通して外部から水が進入することが極力防止され得る。
【００３９】
更に、図５（ｂ）に示すように、インナハウジング２０が、初期位置から、アウタハウジング１０に対して後側へ移動した位置にあるため、弾性部材３０が圧縮方向に撓んでいる。このため、弾性部材３０の付勢力が、アウタハウジング１０とインナハウジング２０との嵌合を解除する向きに付勢する力として作用し、この結果、アウタハウジング１０とハウジング６０との嵌合を解除する向きに付勢する力としても作用している。
【００４０】
ハウジング６０とインナハウジング２０との嵌合状態を解除するためには、図６に示すように、一対のロック解除アーム１４の連結部１６を、幅方向内側に押し込む。これにより、ロックアーム１２が幅方向外側に弾性変形する（図６（ｂ）及び図６（ｃ）参照）。この結果、ロックアーム１２の前側端部（即ち、係止孔１３が設けられている部分）が幅方向外側（即ち、係合解除方向）に移動して、係止孔１３とロックビーク６２との係合が解除される。係止孔１３とロックビーク６２との係合が解除されると、上述した弾性部材３０の付勢力により、図中の矢印に示すように、アウタハウジング１０とハウジング６０とが嵌合を解除する向きに自動的に相対移動を始める。例えば、ハウジング６０の位置が固定されている場合、アウタハウジング１０のみがハウジング６０から離れるように移動することになる。なお、図６（ｂ）では、説明の便宜上、アウタハウジング１０とハウジング６０とは、係止孔１３とロックビーク６２との係合が解除される前の位置（図５（ｂ）に示す位置）に留まっている。
【００４１】
そして、図７に示すように、一対の係止突起２５と一対の係止片１７とが係合する位置（即ち、初期位置）までアウタハウジング１０とハウジング６０との相対移動が進んだ後、アウタハウジング１０とハウジング６０とを手作業などによって引き離せば、メス端子Ｔ１とオス端子Ｔ２との接続を解除できる。このように、弾性部材３０の付勢力を利用することにより、アウタハウジング１０とハウジング６０との嵌合を解除するために要する外力を小さくでき、アウタハウジング１０とハウジング６０と容易に分離できる。
【００４２】
ところで、一対のロック解除アーム１４の連結部１６の周辺に他の部材（例えば、ワイヤハーネス等）が存在する場合において、連結部１６の操作が困難になる場合もある。このような場合、本コネクタ構造３では、図８及び図９に示すように、アウタハウジング１０に設けられた一対の貫通孔１８に解除具７０を挿入することによってもロックを解除できる。以下、この点について説明する。
【００４３】
図８に示すように、解除具７０は、樹脂製又は金属製の棒状部材であり、その先端部が、他の部分より細い挿入部７１となっている。この挿入部７１が貫通孔１８に挿入される。挿入部７１の先端部には、テーパ面７２が形成されている。
【００４４】
図９に示すように、解除具７０の挿入部７１が、テーパ面７２が幅方向外側を向くように、アウタハウジング１０の上方から下方に向けて貫通孔１８に挿入されると、テーパ面７２がロックアーム１２の幅方向内側の上角部に接触する。この状態から更に解除具７０を下方に挿入すると、ロックアーム１２がテーパ面７２の押圧により幅方向外側（即ち、係合解除方向）に弾性変形する。この結果、係止孔１３とロックビーク６２との係合が解除される（ロックが解除される）。図９では、このような作業が幅方向一方側のみ行われているが、実際には、このような作業が幅方向両側で行われることになる。
【００４５】
以上、本発明の実施形態に係るコネクタ構造３によれば、ロック解除アーム１４の操作が困難な場合であっても、ロック解除アーム１４と異なる位置に設けられた貫通孔１８に解除具７０を挿入することで、ロックを解除できる。この結果、弾性部材３０の付勢力を利用して、アウタハウジング１０とハウジング６０とを容易に分離できる。この結果、インナハウジング２０とハウジング６０との嵌合状態を解除できる。
【００４６】
＜他の形態＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４７】
例えば、上記実施形態では、本発明の「第１ロック解除機構」として、ロック解除アーム１４が採用され、本発明の「第２ロック解除機構」として、ロック解除アーム１４とは異なる位置に設けられた貫通孔１８が採用されている。これに対し、本発明の「第２ロック解除機構」として、ロック解除アーム１４とは異なる位置に設けられた、ロック解除アーム１４と同じ構造のロック解除アームが採用されてもよい。即ち、ロックアーム１２の先端部（自由端部）から、ロック解除アーム１４に加えて、ロック解除アーム１４とは異なる方向に延びる別のロック解除アームが設けられていてもよい。
【００４８】
ここで、上述した本発明に係るコネクタ構造３の実施形態の特徴をそれぞれ以下［１］及び［２］に簡潔に纏めて列記する。
［１］
互いに嵌合可能な第１コネクタ（１）及び第２コネクタ（２）を備えたコネクタ構造（３）であって、
前記第１コネクタ（１）は、
アウタハウジング（１０）と、嵌合方向において変位可能な状態にて前記アウタハウジングに支持されるインナハウジング（２０）と、前記インナハウジングを嵌合方向前方に付勢可能な弾性部材（３０）と、を有し、
前記第２コネクタ（２）は、
嵌合時に、前記インナハウジング（２０）を嵌合方向後方に変位させて前記弾性部材（３０）による嵌合方向前方への付勢力を生じさせた状態にて前記アウタハウジング（１０）に組み付けられる、相手側ハウジング（６０）を有し、
前記アウタハウジング（１０）は、
嵌合時に前記相手側ハウジング（６０）の嵌合方向後方への移動を規制するように前記相手側ハウジングに係合するロック機構（１２）と、前記ロック機構による係合を解除可能な第１ロック解除機構（１４）と、前記第１ロック解除機構とは異なる位置に設けられ且つ前記第１ロック解除機構から独立して前記ロック機構による係合を解除可能な第２ロック解除機構（１８）と、を有する、
コネクタ構造。
［２］
上記［１］に記載のコネクタ構造において、
前記ロック機構（１２）は、
前記相手側ハウジング（６０）に設けられた突起部（６２）に係合する係合部（１３）を有する片持ち梁状のロックアーム（１２）であり、
前記第１ロック解除機構（１４）は、
前記アウタハウジング（１０）の一部として前記アウタハウジングの外面に露出するように設けられ、前記突起部（６２）と前記係合部（１３）との係合を解除する向きに前記ロックアーム（１２）を撓ませることが可能な、解除操作部（１６）を含み、
前記第２ロック解除機構（１８）は、
前記アウタハウジング（１０）の外部から前記突起部（６２）と前記係合部（１３）との係合位置に向けて連通するように設けられた貫通部（１８）であって、前記アウタハウジングとは別体の解除具（７０）を当該貫通部に挿入することにより、前記突起部と前記係合部との係合を解除する向きに前記係合部（１３）を移動させることが可能な、貫通部（１８）を含む、
コネクタ構造。
【符号の説明】
【００４９】
１      メスコネクタ（第１コネクタ）
２      オスコネクタ（第２コネクタ）
３      コネクタ構造
１０    アウタハウジング
１２    ロックアーム（ロック機構）
１３    係止孔（係合部）
１４    ロック解除アーム（第１ロック解除機構）
１６    連結部（解除操作部）
１８    貫通孔（貫通部、第２ロック解除機構）
２０    インナハウジング
３０    弾性部材
６０    ハウジング（相手側ハウジング）
６２    ロックビーク（突起部）
７０    解除具
Ｔ１    メス端子（第１端子）
Ｔ２    オス端子（第２端子）
【図１】
2020035550.tif 000003
【図２】
2020035550.tif 000004
【図３】
2020035550.tif 000005
【図４】
2020035550.tif 000006
【図５】
2020035550.tif 000007
【図６】
2020035550.tif 000008
【図７】
2020035550.tif 000009
【図８】
2020035550.tif 000010
【図９】
2020035550.tif 000011